【手続補正書】
【提出日】平成19年3月29日(2007.3.29)
【手続補正１】
【補正対象書類名】明細書
【補正対象項目名】特許請求の範囲
【補正方法】変更
【補正の内容】
【特許請求の範囲】
【請求項１】  最適化を行い、最適解を算出する最適化装置であって、
変量を変動させた際に、相互関係を表す際の目的となる対象の変動にどのような影響を与えるかを説明する変量に、属性変量のデータを有するサンプルデータと、
上記サンプルデータを数量化し、分析する手段である分析手段と、
上記分析手段により算出された分析結果を用いて属性を順次変化させ試算を行い、最適解を算出する手段である最適化手段と、
を有することを特徴とする最適化装置。
【請求項２】上記最適化手段が、最適化の目的となる対象に対し、最適化を説明する対象を変化させた際に、上記最適化の目的となる対象に対して影響が大きい属性変量の属性から順に属性を変化させていく変量降順選択手段を有することを特徴とする請求項１に記載の最適化装置。
【請求項３】上記変量降順選択手段が、一時記憶手段と、探査手段と、判定手段と、差額算出手段とを有することを特徴とする請求項２に記載の最適化装置。
【請求項４】上記最適化手段が、最適化の目的となる対象に対し、最適化を説明する対象を変化させた際に、上記最適化の目的となる対象に対して影響が小さい属性変量の属性から順に属性を変化させていく変量昇順選択手段を有することを特徴とする請求項１又は２又は３に記載の最適化装置。
【請求項５】上記変量昇順選択手段が、一時記憶手段と、探査手段と、判定手段と、差額算出手段とを有することを特徴とする請求項４に記載の最適化装置。
【請求項６】上記請求項１又は２又は３又は４又は５に記載の最適化装置を用いて、変量降順選択手段が最適化を行い、さらに、変量昇順選択手段が最適化を行うことを特徴とする最適化装置を用いた最適化方法。
【手続補正２】
【補正対象書類名】明細書
【補正対象項目名】０００６
【補正方法】変更
【補正の内容】
【０００６】
【課題を解決するための手段】
本発明は上記問題点を解決するために創作されたものであって、第１には、最適化を行い、最適解を算出する最適化装置であって、変量を変動させた際に、相互関係を表す際の目的となる対象の変動にどのような影響を与えるかを説明する変量に、属性変量のデータを有するサンプルデータと、上記サンプルデータを数量化し、分析する手段である分析手段と、上記分析手段により算出された分析結果を用いて属性を順次変化させ試算を行い、最適解を算出する手段である最適化手段と、を有することを特徴とする。
【手続補正３】
【補正対象書類名】明細書
【補正対象項目名】０００７
【補正方法】変更
【補正の内容】
【０００７】
この第１の構成の最適化装置においては、最適化を行い、最適解を算出する最適化装置であって、変量を変動させた際に、相互関係を表す際の目的となる対象の変動にどのような影響を与えるかを説明する変量に、属性変量のデータを有するサンプルデータと、上記サンプルデータを数量化し、分析する手段である分析手段と、上記分析手段により算出された分析結果を用いて属性を順次変化させ試算を行い、最適解を算出する手段である最適化手段と、を有するため、最適化を説明する対象が、属性変量の場合に、最適化を行うことが可能となる。
【手続補正４】
【補正対象書類名】明細書
【補正対象項目名】０００８
【補正方法】変更
【補正の内容】
【０００８】
また、第２には、上記第１の構成において、上記最適化手段が、最適化の目的となる対象に対し、最適化を説明する対象を変化させた際に、上記最適化の目的となる対象に対して影響が大きい属性変量の属性から順に属性を変化させていく変量降順選択手段を有することを特徴とする。
【手続補正５】
【補正対象書類名】明細書
【補正対象項目名】０００９
【補正方法】変更
【補正の内容】
【０００９】
この第２の構成の最適化装置においては、上記最適化手段が、最適化の目的となる対象に対して影響が大きい属性変量の属性から順に属性を変化させていく変量降順選択手段を有するため、効率の良い最適化を行うことができる。
【手続補正６】
【補正対象書類名】明細書
【補正対象項目名】００１０
【補正方法】変更
【補正の内容】
【００１０】
さらに、第３には、上記第２の構成において、上記変量降順選択手段が、一時記憶手段と、探査手段と、判定手段と、差額算出手段とを有することを特徴とする。
【手続補正７】
【補正対象書類名】明細書
【補正対象項目名】００１１
【補正方法】変更
【補正の内容】
【００１１】
この第３の構成の最適化装置においては、上記第２の構成において、上記変量降順選択手段が、一時記憶手段と、探査手段と、判定手段と、差額算出手段とを有するため、効率の良い最適化を行うことができる。
【手続補正８】
【補正対象書類名】明細書
【補正対象項目名】００１２
【補正方法】変更
【補正の内容】
【００１２】
また、第４には、上記第１又は第２又は第３の構成において、上記最適化手段が、最適化の目的となる対象に対し、最適化を説明する対象を変化させた際に、上記最適化の目的となる対象に対して影響が小さい属性変量の属性から順に属性を変化させていく変量昇順選択手段を有する。
【手続補正９】
【補正対象書類名】明細書
【補正対象項目名】００１３
【補正方法】変更
【補正の内容】
【００１３】
この第４の構成の最適化装置においては、上記最適化手段が、最適化の目的となる対象に対し、最適化を説明する対象を変化させた際に、上記最適化の目的となる対象に対して影響が小さい属性変量の属性から順に属性を変化させていく変量昇順選択手段を有するため、精度の良い最適化を行うことができる。
【手続補正１０】
【補正対象書類名】明細書
【補正対象項目名】００１４
【補正方法】変更
【補正の内容】
【００１４】
また、第５には、上記第４の構成において、上記変量昇順選択手段が、一時記憶手段と、探査手段と、判定手段と、差額算出手段とを有することを特徴とする。
【手続補正１１】
【補正対象書類名】明細書
【補正対象項目名】００１５
【補正方法】変更
【補正の内容】
【００１５】
この第５の構成の最適化装置においては、上記変量昇順選択手段が、一時記憶手段と、探査手段と、判定手段と、差額算出手段とを有するため、精度の良い最適化を行うことができる。
【手続補正１２】
【補正対象書類名】明細書
【補正対象項目名】００１６
【補正方法】変更
【補正の内容】
【００１６】
また、第６には、最適化装置を用いた最適化方法に関するものであって、上記第１又は第２又は第３又は第４又は第５に記載の最適化装置を用いて、変量降順選択手段が最適化を行い、さらに、変量昇順選択手段が最適化を行うことを特徴とする。
【手続補正１３】
【補正対象書類名】明細書
【補正対象項目名】００１７
【補正方法】変更
【補正の内容】
【００１７】
この第６の構成の最適化装置を用いた最適化方法においては、変量降順選択手段が最適化を行い、さらに、変量昇順選択手段が最適化を行うため、効率の良い試算を行うことができるとともに、さらに良い試算結果を得ることが可能となる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】０１７０
【補正方法】変更
【補正の内容】
【０１７０】
【発明の効果】
本発明に基づく請求項１に記載の最適化装置によれば、最適化を行い、最適解を算出する最適化装置であって、変量を変動させた際に、相互関係を表す際の目的となる対象の変動にどのような影響を与えるかを説明する変量に、属性変量のデータを有するサンプルデータと、上記サンプルデータを数量化し、分析する手段である分析手段と、上記分析手段により算出された分析結果を用いて属性を順次変化させ試算を行い、最適解を算出する手段である最適化手段と、を有するため、最適化を説明する対象が、属性変量の場合に、最適化を行うことが可能となる。
【手続補正２３】
【補正対象書類名】明細書
【補正対象項目名】０１７１
【補正方法】変更
【補正の内容】
【０１７１】
また、特に、請求項２に記載の最適化装置によれば、上記最適化手段が、最適化の目的となる対象に対して影響が大きい属性変量の属性から順に属性を変化させていく変量降順選択手段を有するため、効率の良い最適化を行うことができる。
【手続補正２４】
【補正対象書類名】明細書
【補正対象項目名】０１７２
【補正方法】変更
【補正の内容】
【０１７２】
また、特に、請求項３に記載の最適化装置によれば、上記変量降順選択手段が、一時記憶手段と、探査手段と、判定手段と、差額算出手段とを有するため、効率の良い最適化を行うことができる。
【手続補正２５】
【補正対象書類名】明細書
【補正対象項目名】０１７３
【補正方法】変更
【補正の内容】
【０１７３】
また、特に、請求項４に記載の最適化装置によれば、上記最適化手段が、最適化の目的となる対象に対し、最適化を説明する対象を変化させた際に、上記最適化の目的となる対象に対して影響が小さい属性変量の属性から順に属性を変化させていく変量昇順選択手段を有するため、精度の良い最適化を行うことができる。
【手続補正２６】
【補正対象書類名】明細書
【補正対象項目名】０１７４
【補正方法】変更
【補正の内容】
【０１７４】
また、特に、請求項５に記載の最適化装置によれば、上記変量昇順選択手段が、一時記憶手段と、探査手段と、判定手段と、差額算出手段とを有するため、精度の良い最適化を行うことができる。
【手続補正２７】
【補正対象書類名】明細書
【補正対象項目名】０１７５
【補正方法】変更
【補正の内容】
【０１７５】
また、特に、請求項６に記載の最適化装置を用いた最適化方法によれば、変量降順選択手段が最適化を行い、さらに、変量昇順選択手段が最適化を行うため、効率の良い試算を行うことができるとともに、さらに良い試算結果を得ることが可能となる。
【手続補正２８】
【補正対象書類名】明細書
【補正対象項目名】０１７６
【補正方法】削除
【補正の内容】
【手続補正２９】
【補正対象書類名】明細書
【補正対象項目名】０１７７
【補正方法】削除
【補正の内容】
【手続補正３０】
【補正対象書類名】明細書
【補正対象項目名】０１７８
【補正方法】削除
【補正の内容】
【手続補正３１】
【補正対象書類名】明細書
【補正対象項目名】０１７９
【補正方法】削除
【補正の内容】